(57)【要約】      （修正有）【課題】従来の丸孔アンカーに代わる新しい自動販売機の転倒防止耐震施工方法を提供する。【解決手段】自動販売機(1)本体直下の基礎コンクリート(100)に対しダイヤモンドホイールソーを用いて一字蟻溝(31)を穿溝・成形し、該溝内に蟻溝拡開アンカー(4)を装着の上、スライドL字金具(5)・ワイヤ(7)・ワイヤ締結用スリーブ(8)を使用し自動販売機(1）脚部２箇所(1f1/1f2)または４箇所(1f1/1f2/1f3/1f4)を固定・緊結する。【選択図】図２
2008102595.tif 000002
【特許請求の範囲】
【請求項１】
飲料用ほか自動販売機(1)に対する転倒防止施工において、自動販売機(1）直下の基礎コンクリート(100)対しダイヤモンドホイールソー(21)を用い、蟻溝(31)を穿溝成型する工程と、
該蟻溝(31)に相応する蟻溝拡開アンカー(5)を装填し、該アンカーと該自動販売機(1）の脚部(1f1〜1f4)または枠材とをワイヤ(7wa1〜7wa6)または冶具を用い固定する工程とを特徴とする、自動販売機(1）ほか中重量物固定繋止方法。
【請求項２】
石膏ボード壁面(2)を背に設置されている自動販売機(1)設置状況において、
予めアンカー装填用丸孔が成型された石膏ボードを用いるか、または該石膏ボード(2)に対し、工具を用い丸孔穿孔(2h)する工程と
該ボードアンカー(10・13)を装填し、ターンバックル(10h)を介して、該自動販売機(1）枠材とを固定する工程とを特徴とする、
前記請求項１に記載の自動販売機(1）ほか中重量物固定繋止方法。
【発明の詳細な説明】
【技術分野】
【０００１】
自動販売機(1）ほか中重量物の固定に関する。
【背景技術】
【０００２】
従来、日本規格協会及び日本自動販売機工業会が制定する「自動販売機施工基準」に基づき、ハンマードリルを用いた丸孔穿孔と孔径に相応する丸孔アンカーを装填しＳ字またはＥ字金物を介し、脚部を固定する方法に拠り、耐震耐力を得ていた。
【発明の開示】
【発明が解決しようとする課題】
【０００３】
本発明施工方法は、従来施工方法において課題とされる
1)ａ．基礎コンクリート(100)へり開き寸法不足  ｂ．アンカー斜め打設  等前述日本自動販売機工業会制定「施工基準」に照らし不適合施工から惹起される「アンカーすっぽ抜け事故」を皆無とし、
2)ハンマードリル作業に不可避であるａ．粉塵ｂ．振動ｃ．騒音ｄ．作業者立ち作業空間確保  等の難点・制約から開放し、
3)特に営業中の自動販売機(1)に対する施工において、従来施工比ａ．劇的施工価格低減ｂ．省作業時間ｃ．環境・周辺住民及び作業者への健康被害軽減・解消  ｄ．自動販売機電源オフ不要  等の効果をもたらす。
【０００４】
自動販売機(1）に対する転倒防止については、下記発明が公表されている。
【特許文献１】特開2004-318293号公報「自動販売機の据付装置および据付方法」
【特許文献２】特開2004-62691号公報「自動販売機の据付装置」
【特許文献３】特開2003-151022号公報「自動販売機の据付固定装置」
【特許文献４】特開2003-90173号公報「転倒防止並びに盗難防止用固定装置及びボルト又はナットの構造」
【特許文献５】特開2001-134821号公報「自動販売機の据付」
【特許文献６】特開平9-73582号公報「自動販売機の固定金具」いずれの発明も基礎コンクリート(100)へは丸孔アンカー使用を前提としている。丸孔アンカーの弱点は１．垂直穿孔及び垂直ボルト設立が極めて困難であること。２．穿孔に際し発生する切粉の完全除去なくしてアンカー耐力が発揮できないこと。３. ハンマードリル穿孔は振動・騒音・粉塵発生を伴うこと。４．拡開アンカーと定義されるも実際には拡開しておらず、拡開作用による孔内摩擦抵抗を増大させているに過ぎないため、コンクリート(100)に生じる「反力」が作用し、常に抜け出ようとしている状態にあること。５．アンカー耐力の源である「破壊性向＝コーン破壊」は円錐状母材をくっつけた「スッポ抜け破壊」であることから耐力分掛が大きいこと。つまり不安定なこと。等「いざと言う時」に確実な耐力が欲しい「耐震施工」には極めて具合の悪い部品及び施工方法と言わざるを得ない。また、接着系アンカーは１．耐力発揮硬化までの待機時間  ２．垂直ボルト設立には補助冶具を必要とすること。３．高価であること。  等の欠点が挙げられる。しかしながら、最大の欠点は１．ハンマードリルによる穿孔作業は立ち位置・立ち姿勢を余儀なくするため、作業者の身長以上の空間を確保する必要があるため、特に稼動営業中の自動販売機(1）に対する施工が大掛かりにならざるを得ないことである。
【０００５】
本発明は、穿孔方法に着目し、丸孔を蟻溝(31)穿溝に置換する方法で解決を図る。
つまり、身長以上の空間を要した従来工法から、ダイヤモンドホイール付カッターと作業者の片手が挿入できる空間さえ確保できれば耐震施工が実現する本発明に転換することにより、１．省時間作業  ２．省資源  ３．無振動  ４．無騒音  ５．無粉塵  ６．劇的廉価  を実現し、特に稼動中自動販売機に対する耐震施工普及停滞の解決を図る。
【０００６】
【特許文献７】特許3844487号「拡開アンカー」
【特許文献８】特願2005−363360号「ボード用アンカー」は私の発明である。以下、該特許２件を前提にその施工方法を詳述する。
【発明の効果】
【０００７】
自動販売機ほか中重量工作物の、より強度の高い・安定した地震耐力を獲得するとともに、無粉塵・無振動・無騒音・省動力作業を実現する。
【発明を実施するための最良の形態】
【０００８】
飲料用ほか自動販売機(1）に対する転倒防止施工における工程を以下、図により説明する。
［工程］図１及び図２
1.［稼動自動販売機(1）ジャッキアップ作業］
油圧ジャッキを用い、最小２点支持にて機本体揚重。
ウマによる左右２箇所またはジャッキにて４点支持の上、ジャッキダウンし危険防止養生。
2.［据付面の確認作業］
コンクリート(100)強度(４週圧縮強度)＝18N/mm2  以上
コンクリート(100)厚＝100mm以上
＊但し、蟻溝(31)アンカー破壊は母材深奥部に向かう特性をもつため、従来工法のコーン破壊＝円錐状母材付スッポ抜け破壊条件下の母材厚に較べ薄くてよいと推定する。＊
コンクリート(100)質量＝自動販売機(1)質量とほぼ同等以上
上記、強度を充足しない場合は
【特許文献９】特願2006-237342号「蟻溝(31)穿溝によるコンクリート(100)破砕方法」(小生三男発明)により、破砕除去し、新たにコンクリート(100)を打ち直すか、予め蟻溝(4)が成形されたプレキャストコンクリートまたは石材を埋設し、基礎とする。3.［蟻溝(31)穿溝作業］
【特許文献１０】特許第3844487号「拡開アンカー」発明人  長岩  均  準拠ダイヤモンドホイールハンドカッター(21)を使用し、作業者の手が自然な縦方向（壁に垂直）に一字溝(31)を穿溝する。タガネまたは空気圧式ニューマーロック工具を用い、穿溝部を打撃した後、不要部材を除去し、蟻溝(31)を成形する。底部に残る切り屑・切り滓は完全除去不要。4.［蟻溝アンカー(4)装填・ワイヤ(7wb1〜7wb6)敷設結線・緊結作業］１）該蟻溝(31)にＬ字スライド金具(5・5Ａ〜5E)が付属した、一字蟻溝(31)２点ボルト拡開アンカーを装填し、該自動販売機(1）の後脚部左右２箇所(1f1/1f2)⇒Ｌ字スライド金具(5・5Ａ〜5E)丸孔⇒手前ボルト(6b2)内蔵歯付きワッシャー(6c)に噛み込ませ)⇒前脚部(1f3/1f4)左右２箇所を連続して結線し、引っ張ることにより充分に緊張させた上で、スリーブ(8)留めする。不要ワイヤ切断除去。２）Ｌ字スライド金具(5・5Ａ〜5E)を壁(2)方向にスライドさせることにより、更に充分にワイヤを緊張させ、ボルト(6b1)及び(6b2)を締め込み緊結する。
【０００９】
該Ｌ字金具(5)がスライドする効果は
1.ワイヤ緊張  2.自動販売機(1)本体後方からの引張耐力獲得  にある。
【００１０】
従来施工E型・S型金具を用いた締結はいわば「硬式繋止」といえるが、本発明はワイヤによる「軟式繋止」につき、ワイヤの張り具合をＬ字スライド金具(5・5Ａ〜5E)により調整することにより、地震力を「柔構造」で受け止める＝ショックアブソーバー機能が付加できると推定している。(自動販売機脚部(1f1〜1f4)接地部に弾性材装着)
【００１１】
ワイヤが最も廉価と思われるが、アングル及びフラットバーを材料とした冶具を設計製作し脚部(1f1/1f2/1f3/1f4)または自動販売機(1)枠を形成する部材とを緊結してもよい。
【００１２】
石膏ボード(2)壁面を背に設置されている自動販売機(1)設置状況においては、
予めアンカー装填用丸孔が成型された石膏ボード(2)を用いるか、または該石膏ボード(2)に対し、従来工法と同様、ドリル工具を用い丸孔穿孔(2h)し、該ボードアンカー(10・13)を装填し、ターンバックル(10h)を介して、該自動販売機(1）枠材とを固定する。前記、床(基礎コンクリート(100))と併せ、補強を施せば、万全な転倒防止策となる。
【図面の簡単な説明】
【００１３】
【図１】自動販売機設置平面及びアンカー繋止箇所拡大図
【図２】自動販売機本発明アンカー固定・繋止方法斜視図
【図３】私発明特許3844487号による「蟻溝・ダイヤモンドホイールソー」概念図
【図４】特許3844487号「一字蟻溝ダブルボルトアンカー」概念図
【図５】特願2005−363360号「ボード用アンカー」固定・繋止概念図
【符号の説明】
【００１４】
1  自動販売機
1f1/1f2/1f3/1f4  自動販売機脚部４箇所
2  石膏ボード壁
2h  ボード用アンカー装填用丸孔（ドリルによる穿孔又は予め孔成型された石膏ボード）
3  蟻溝
4  蟻溝拡開アンカー
5  L字スライド金具
5a  L字スライド金具  L字妻手垂直立ち上がり部(ワイヤ貫通孔部)
5b  L字スライド金具  L字長手水平部(スライド目的ボルト用長孔部)
6b1  蟻溝拡開アンカー緊結用ボルト
6b2  ワイヤ固定・繋止用ボルト(歯付ワッシャー装備)
7wa1〜7wa6  緊結・繋止後ワイヤ状態
7wb1〜7wb6  緊結・繋止前ワイヤ状態
8  ワイヤ結線固定用スリーブ
9  特願2005−363360号「ボード用アンカー」装填部
10h  ターンバックル固定部
31  一字蟻溝
100  基礎コンクリート
【図１】
2008102595.tif 000003
【図２】
2008102595.tif 000004
【図３】
2008102595.tif 000005
【図４】
2008102595.tif 000006
【図５】
2008102595.tif 000007